(57)【要約】【課題】ペットの嗜好性に合い、過剰な体重減少や便の軟便化、下痢等の症状を起こさず、症状に合った有効量を安全に摂取することができる抗肥満効果に優れたペット用サプリメントを提供すること。【解決手段】サイクロデキストリン、中でもβ−シクロデキストリンと桑の葉エキスを同時に配合したペット用サプリメント。特に、β−サイクロデキストリンを２０〜８０質量％と桑の葉エキスを１〜１７質量％配合することにより、優れた体重抑制効果、すなわち抗肥満効果を発揮するペット用サプリメント。【選択図】  なし【特許請求の範囲】
【請求項１】
サイクロデキストリンと桑の葉エキスを含有することを特徴とするペット用サプリメント。
【請求項２】
サイクロデキストリンがβ−サイクロデキストリンであることを特徴とする請求項１に記載のサプリメント。
【請求項３】
β−サイクロデキストリンを２０〜８０質量％、桑の葉エキスを１〜１７質量％含むことを特徴とする請求項１又は２に記載のサプリメント。
【請求項４】
錠剤、顆粒、粉末のいずれかの形態の固形製剤である請求項１〜３のいずれかに記載のサプリメント。
【請求項５】
体重増加を抑制する効果を有する請求項１〜４のいずれかに記載のサプリメント。
【発明の詳細な説明】
【０００１】
【発明が属する技術分野】
本発明は、体重増加を抑制する効果を有するペット用サプリメントおよびその製造方法に関する。
【０００２】
【従来の技術】
現代は、人間同様にペットの肥満が増加してきており、ペットの約３割が肥満傾向にあると言われている。肥満は様々な病気の原因となり、糖尿病・心臓疾患のようないわゆる生活習慣病が、ペットにも増えてきている。
【０００３】
肥満の原因としては、運動させるスペースがないといった社会環境による運動不足も原因の一つであるが、主な原因は「食べ過ぎ」によるものである。
【０００４】
このような、ペットの肥満の予防や解消問題に関する従来技術としては、β−サイクロデキストリンを含有させたペットフード（特許文献１）や、難消化性デキストリンを含有させたペットフードがある（特許文献２）。
【０００５】
しかしながら、これらの従来技術では有効成分を食餌であるペットフードに含有させており、有効成分の投与量はペットフードの摂取量に依存する。したがって、摂取量が多すぎると、過剰な体重減少や、便の軟便化、下痢等の症状を起こすペットが出る場合がある。また、肥満の程度に応じて有効成分をさらに多く摂取させたい場合には、より多くのペットフードを摂取する必要が生じ、逆に効果があらわれない場合もある。
【０００６】
さらに、ペットの嗜好はさまざまであることから、有効成分を含有したペットフードが嗜好に合わないペットは、肥満改善のためのペットフードを利用することができない。
【０００７】
【特許文献１】特開２０００−１１６３３７
【特許文献２】特開平７−５９５１７
【０００８】
【発明が解決しようとする課題】
本発明は、過剰な体重減少や便の軟便化、下痢等の症状を起こさず、症状に合った有効量を安全に摂取することができる抗肥満効果に優れたペットサプリメントを提供することを目的とする。
【０００９】
【課題を解決するための手段】
本発明者は、β−シクロデキストリンおよび桑の葉エキスを同時に配合することによって優れた抗肥満効果を有し、かつ過剰な体重減少や便の軟便化、下痢等の症状を起こさない安全なペットサプリメントが得られることを見出し、本発明に至った。
【００１０】
即ち、本発明は、
１．サイクロデキストリンと桑の葉エキスを含有することを特徴とするペット用サプリメント、
２．サイクロデキストリンがβ−サイクロデキストリンであることを特徴とする１に記載のサプリメント、
３．β−サイクロデキストリンを２０〜８０質量％、桑の葉エキスを１〜１７質量％含むことを特徴とする１又は２に記載のサプリメント、
４．錠剤、顆粒、粉末のいずれかの形態の固形製剤である１〜３に記載のサプリメント、
５．体重増加を抑制する効果を有する１〜４に記載のサプリメント、
に関する。
【００１１】
【発明の実施の形態】
以下に本発明を詳細に説明する。
本発明におけるサイクロデキストリンとしては、α−サイクロデキストリンやγ−サイクロデキストリンよりもβ−サイクロデキストリンが好ましく、市販品を使用することができる。β−サイクロデキストリンは水への溶解性が高く、生体内で消化吸収される安全な糖質である。
【００１２】
β−サイクロデキストリンは、固形製剤中に２０〜８０質量％、好ましくは３０〜７０質量％、特に好ましくは４０〜６０質量％配合させる。β−サイクロデキストリンの配合量が８０質量％を越えると、錠剤を製造する際に、粉末が上杵面に付着し、錠剤表面に傷が発生するスティッキング現象が起こる。また、β−サイクロデキストリンの配合量が２０質量％に満たないと、抗肥満効果が不充分になるため、上記範囲内であることが望ましい。
【００１３】
桑の葉エキスは、固形製剤中に１〜１７質量％、好ましくは１．２〜１５質量％、特に好ましくは１．５〜１０質量％配合させる。桑の葉エキスの配合量が１７質量％を越えると、β−サイクロデキストリンと、必要に応じて配合する不活性成分等の配合量が減り、固形製剤への加工適性が低下する。また、桑の葉エキスの配合量が１質量％に満たないと、抗肥満効果が不充分になるため、上記範囲内であることが望ましい。
【００１４】
活性成分であるβ−サイクロデキストリンや桑の葉エキス以外の配合成分、つまり不活性成分としては、特に制限はない。中でも、カルシウム素材を配合することによって、錠剤のような固形製剤の吸湿性を抑制し、安定性に優れたペットサプリメントが得られ、更には製造時のスティッキングを抑制できる場合がある。カルシウム素材としては、例えばドロマイト、卵殻カルシウム、帆立貝殻カルシウム、カキ貝殻カルシウム、珊瑚カルシウム、ウニ殻カルシウム、石化海藻カルシウム、真珠カルシウム、牛骨カルシウム、魚骨粉カルシウム、魚鱗片カルシウム、等の焼成カルシウム、あるいは未焼成カルシウム等の天然カルシウム高含有物、または、炭酸カルシウム、リン酸カルシウム、乳酸カルシウム、グルコン酸カルシウム、クエン酸カルシウム、塩化カルシウム等のカルシウム塩を挙げることができ、食品で使用可能なすべての市販品を使用することができる。本発明では、上記カルシウム素材を単独あるいは２種以上併用することができる。
【００１５】
天然カルシウム高含有物の一般的な製造方法は、原料の選別、粗粉砕、篩別、加熱殺菌等の後、所定の粒度になるように粉砕するという一連の流れになっている。例えばドロマイトは、ドロマイト原石を粗砕、加熱殺菌した後、粉砕して得られるものである。卵殻カルシウムの一般的な製造方法は、原料の選別、粗粉砕、篩別した後、例えば１００℃で加熱殺菌し、所定の粒度になるように粉砕して製造される。また、一般的に珊瑚カルシウムは、まずコーラルサンドまたは珊瑚化石を採取し、水洗いした後異物を除去し、次に例えば１００℃以上で加熱して殺菌および乾燥を行った後、所定の粒度になるように粉砕する方法によって製造される。
【００１６】
次にカルシウム塩のうち、例えば炭酸カルシウムは、石灰石を焼成して得られる酸化カルシウムを水と反応させて水酸化カルシウムとし、これに炭酸ガスを通じてコロイド性または、軽質炭酸カルシウムを得る方法、または塩化カルシウム溶液に炭酸ナトリウム溶液を反応させて沈降炭酸カルシウムとする方法、あるいは天然石灰石を微粉砕の上、重質炭酸カルシウムとする方法がある。さらに、炭酸カルシウムまたは酸化カルシウムを種々の酸性溶液と反応させて得られるカルシウム塩がある。例えば乳酸カルシウムは、一般的に乳酸発酵の途中で、中和剤として炭酸カルシウムを加えて得た粗乳酸カルシウムから精製する方法か、合成乳酸に炭酸カルシウムを加える方法で製造される。
【００１７】
本発明におけるカルシウム素材の配合量としては、１〜４０質量％、好ましくは２〜３０質量％、特に好ましくは３〜２０質量％である。カルシウム素材の配合量が４０質量％を越えると、ペットの嗜好性が低下する。また、カルシウム素材の配合量が１質量％に満たないと、固形製剤の吸湿を防止することができず、また製造時にスティッキングが発生することがあるため、上記範囲内であることが望ましい。
【００１８】
本発明においては、製造性を高める目的で、カルシウム素材の他に、下記のような不活性成分を含有させることもできる。本発明における不活性成分としては、小麦澱粉、米澱粉、とうもろこし澱粉、馬鈴薯澱粉、α化澱粉、部分α化澱粉、乳糖、麦芽糖、還元乳糖、還元麦芽糖、ソルビトール、マンニトール、エリスリトール、キシリトール、白糖、ブドウ糖、グアーガム、キサンタンガム、アルギン酸ナトリウム、アラビアガム、トラガントガム、プルラン、寒天、ゼラチン、大豆食物繊維、結晶セルロース、メチルセルロース、エチルセルロース、低置換度ヒドロキシプロピルセルロース、ヒドロキシプロピルメチルセルロ−ス、ヒドロキシプロピルメチルセルロースフタレート、ヒドロキシプロピルメチルセルロースアセテートサクシネート、カルボキシメチルエチルセルロース、酢酸フタル酸セルロース、ヒドロキシエチルセルロース、ヒドロキシプロピルスターチ、ポリビニルピロリドン、カルメロース、カルメロースカルシウム、カルメロースナトリウム、クロスカルメロースナトリウム、カルボキシメチルスターチナトリウム、植物硬化油、植物油脂末、カルナウバロウ、カカオ脂末、ショ糖脂肪酸エステル、ステアリン酸、ステアリン酸マグネシウム、ステアリン酸アルミニウム、ステアリン酸カルシウム、二酸化ケイ素、タルク、ケイ酸アルミニウム、リン酸水素カルシウム等の市販品を挙げることができる。
【００１９】
本発明において嗜好性を高める目的で、ビーフエキスパウダーやポークエキスパウダー、チキンエキスパウダー等のエキス末、ビーフフレーバーパウダーやポークフレーバーパウダー、チキンフレーバーパウダー等の香料、およびビール酵母等の市販品を配合しても良い。エキス末の配合量としては、２〜２０質量％、好ましくは５〜１８質量％、特に好ましくは１０〜１５質量％である。また、香料の配合量としては、０．１〜１．０質量％。好ましくは０．２〜０．８質量％、特に好ましくは０．４〜０．６質量％である。エキス末および香料がこれらの範囲を逸脱するとペットの嗜好性が低下するため、上記範囲内であることが望ましい。更にビール酵母の配合量としては、２〜２０質量％、好ましくは２．５〜１８質量％、特に好ましくは３〜１７質量％である。ビール酵母の配合量が２０質量％を越えると、錠剤の場合、成形が高まらず、摩損度が高い錠剤になる。顆粒および粉末の場合には、飛散性が高くなり、ペットに与え難くなる。また、ビール酵母の配合量が２質量％に満たないと、ペットの嗜好性が低下するため、上記範囲内であることが望ましい。
【００２０】
本発明の固形製剤は錠剤、顆粒、粉末の形態であることができ、その形状および重量に左右されることはなく、これらは一般的な製造方法に準じて製造される。
【００２１】
例えば、錠剤は、β−サイクロデキストリンと桑の葉エキス、および必要に応じて前記不活性成分とを混合したものを常法に従って圧縮成形するか、または、β−サイクロデキストリンと桑の葉エキス、および必要に応じて前記不活性成分とを適当な方法で顆粒状とした後、前記カルシウム素材を加え、常法に従って圧縮成型して製造できる。
【００２２】
顆粒の場合は、β−サイクロデキストリンと桑の葉エキス、および必要に応じて前記不活性成分とを適当な方法で顆粒状にすることによって得られる。
【００２３】
粉末の場合には、β−サイクロデキストリンと桑の葉エキス、および必要に応じて前記不活性成分とを混合したものを常法にしたがって、分包充填することによって得られる。
【００２４】
【実施例】
以下に本発明の実施例を示すが、本発明はこれらのみに限定されるものではない。
【００２５】
［実施例１］
β−サイクロデキストリン５４ｋｇ、桑の葉エキス粉末３ｋｇ、結晶セルロース１５ｋｇ、ビール酵母１０ｋｇ、卵殻カルシウム１２ｋｇをＶ型混合機（ＭＩＸ  ＷＥＬＬ  ＢＬＥＮＤＥＲ  Ｖ−８００、徳寿工作所製）に投入し、１０分間混合した。更に、植物油脂末６ｋｇを投入し、更に５分間混合した。続いて、ロータリー打錠機（畑鐡工所社製）を用いて一錠約２８０ｍｇ（碁石Ｒ、直径８φ）に打錠した。
【００２６】
［実施例２］
β−サイクロデキストリン５４ｋｇ、桑の葉エキス粉末３ｋｇ、結晶セルロース１０ｋｇ、ビール酵母９ｋｇ、卵殻カルシウム８．５ｋｇ、ポークエキスパウダー６ｋｇ、チキンエキスパウダー６ｋｇ、チキンフレーバーパウダー０．５ｋｇをＶ型混合機（ＭＩＸ  ＷＥＬＬ  ＢＬＥＮＤＥＲ  Ｖ−８００、徳寿工作所製）に投入し、１０分間混合した。更に、植物油脂末３ｋｇを投入し、更に５分間混合した。続いて、ロータリー打錠機（畑鐡工所社製）を用いて一錠約２８０ｍｇ（碁石Ｒ、直径８φ）に打錠した。
【００２７】
［比較例１］
β−サイクロデキストリンの代わりに結晶セルロースを用いること以外は、実施例１と同様にして錠剤を製造した。
【００２８】
［比較例２］
桑の葉エキス粉末の代わりに乳糖を使うこと以外は、実施例１と同様にして錠剤を製造した。
上記実施例１、２および比較例１、２にて製造した錠剤の物性データを表１に示す。
【００２９】
【表１】
2004357503.tif 000002
【００３０】
［試験例］ビーグル犬における体重増加抑制効果試験
ビーグル犬雄３頭と雌３頭を１群とした計４群（計２４頭）に対し、適正摂取カロリーの１．５倍のカロリーに相当する食餌と共に、上記実施例１、２及び比較例１、２にて製造した錠剤を、体重５〜１０ｋｇのビーグル犬は６錠、１０〜１５ｋｇのビーグル犬には９錠ずつ毎日与えた。その試験結果を図１に示す。
【００３１】
図１の結果から明らかなように、比較例１及び２にて製造した錠剤を与えた群では体重増加が見られたのに対し、実施例１および２の錠剤を与えた群は体重増加が著しく抑制された。しかも、過剰な体重減少や便の軟便化、下痢等の症状は見られなかった。
【００３２】
【発明の効果】
本発明によれば、過剰な体重減少や便の軟便化、下痢等の症状を起こさず、症状に合った有効量を安全に摂取することができる抗肥満効果に優れたペットサプリメントを提供することができる。
【図面の簡単な説明】
【図１】ビーグル犬における体重増加抑制効果試験の結果を表す図である。
【図１】
2004357503.tif 000003